【手続補正書】
【提出日】令和2年10月5日(2020.10.5)
【手続補正１】
【補正対象書類名】特許請求の範囲
【補正対象項目名】全文
【補正方法】変更
【補正の内容】
【特許請求の範囲】
【請求項１】
文書の画像を解析することにより、当該画像内の文字列領域を特定する解析手段と、
前記画像をＵＩ画面に表示する第１の表示制御手段と、
前記解析手段で特定された文字列領域の中から前記ＵＩ画面を介してユーザにより選択された文字列領域についての、ＯＣＲ処理の結果の文字列を得るＯＣＲ処理手段と、
前記ＯＣＲ処理手段で得られた前記ＯＣＲ処理の結果の文字列が所定の条件を満たす場合、当該文字列を分割して複数の文字列を得る分割手段と、
前記分割手段で得た前記複数の文字列を表示する第２の表示制御手段と、
前記第２の表示制御手段により表示された前記複数の文字列の中から前記ユーザにより選択された１つの文字列を用いて、前記文書の画像に対する所定の処理のための情報を設定する設定手段と、
を備えることを特徴とする装置。
【請求項２】
前記第２の表示制御手段は、前記分割手段で得た前記複数の文字列をリストにして表示することを特徴とする請求項１に記載の装置。
【請求項３】
前記第２の表示制御手段は、前記分割手段で得た前記複数の文字列とともに、前記ＯＣＲ処理手段で得られた前記選択された文字列領域に対するＯＣＲ処理の結果の文字列を表示することを特徴とする請求項１または２に記載の装置。
【請求項４】
前記第２の表示制御手段は、前記リストを、前記ユーザにより選択された前記文字列領域に隣接して表示することを特徴とする請求項２に記載の装置。
【請求項５】
前記第２の表示制御手段は、前記リストに含まれる前記複数の文字列を所定の表示条件に従った順に表示することを特徴とする請求項２に記載の装置。
【請求項６】
前記第２の表示制御手段は、前記ユーザが前記文字列領域を選択する際に指定した位置との距離が近い順に、前記複数の文字列を前記リストに表示することを特徴とする請求項５に記載の装置。
【請求項７】
前記第２の表示制御手段は、前記リストを、前記所定の処理のための情報を設定するための入力欄に隣接して表示することを特徴とする請求項２、４から６の何れか一項に記載の装置。
【請求項８】
前記ＯＣＲ処理手段で得られた前記選択された文字列領域に対するＯＣＲ処理の結果の文字列が前記所定の条件を満たさなかった場合、前記設定手段は、前記選択された文字列領域に対するＯＣＲ処理の結果の文字列を用いて、前記文書の画像に対する前記所定の処理のための情報を設定することを特徴とする請求項１から７の何れか一項に記載の装置。
【請求項９】
前記第１の表示制御手段は、前記文書の画像と共に、前記解析手段で特定された前記文字列領域それぞれをユーザが識別可能な態様で前記ＵＩ画面に表示することを特徴とする請求項１から８の何れか一項に記載の装置。
【請求項１０】
前記所定の処理は、前記文書の画像を保存する処理であり、
前記所定の処理のための情報は、前記文書の画像を保存する際のファイル名であることを特徴とする請求項１から９の何れか一項に記載の装置。
【請求項１１】
前記所定の処理は、前記文書の画像を保存する処理であり、
前記所定の処理のための情報は、前記文書の画像を保存する際のフォルダ名であることを特徴とする請求項１から９の何れか一項に記載の装置。
【請求項１２】
前記所定の処理は、前記文書の画像をアップロードする処理であり、
前記所定の処理のための情報は、アップロード先を示すパス名であることを特徴とする請求項１から９の何れか一項に記載の装置。
【請求項１３】
前記所定の処理は、前記文書の画像をＦＡＸ送信する処理であり、
前記所定の処理のための情報は、当該ＦＡＸ送信する際の送信先のＦＡＸ番号であることを特徴とする請求項１から９の何れか一項に記載の装置。
【請求項１４】
前記所定の処理は、前記文書の画像をメール送信する処理であり、
前記所定の処理のための情報は、当該メール送信する際の送信先のメールアドレスであることを特徴とする請求項１から９の何れか一項に記載の装置。
【請求項１５】
文書の画像に対して所定の処理を行う装置の制御方法であって、
解析手段が、前記文書の画像を解析することにより、当該画像内の文字列領域を特定するステップと、
第１の表示制御手段が、前記画像をＵＩ画面に表示するステップと、
ＯＣＲ処理手段が、前記特定された文字列領域の中から前記ＵＩ画面を介してユーザにより選択された文字列領域についての、ＯＣＲ処理の結果の文字列を得るステップと、
分割手段が、前記得られたＯＣＲ処理の結果の文字列が所定の条件を満たす場合、当該文字列を分割して複数の文字列を得る分割ステップと、
第２の表示制御手段が、前記分割して得られた前記複数の文字列を表示するステップと、
設定手段が、当該表示された前記複数の文字列の中から前記ユーザにより選択された１つの文字列を用いて、前記文書の画像に対する前記所定の処理のための情報を設定するステップと、
を含むことを特徴とする制御方法。
【請求項１６】
コンピュータを、請求項１から１４の何れか一項に記載の装置として機能させる
ためのプログラム。
【手続補正２】
【補正対象書類名】明細書
【補正対象項目名】０００６
【補正方法】変更
【補正の内容】
【０００６】
上述した課題を解決する本発明に係る装置は、文書の画像を解析することにより、当該画像内の文字列領域を特定する解析手段と、 前記画像をＵＩ画面に表示する第１の表示制御手段と、前記解析手段で特定された文字列領域の中から前記ＵＩ画面を介してユーザにより選択された文字列領域についての、ＯＣＲ処理の結果の文字列を得るＯＣＲ処理手段と、前記ＯＣＲ処理手段で得られた前記ＯＣＲ処理の結果の文字列が所定の条件を満たす場合、当該文字列を分割して複数の文字列を得る分割手段と、前記分割手段で得た前記複数の文字列を表示する第２の表示制御手段と、前記第２の表示制御手段により表示された前記複数の文字列の中から前記ユーザにより選択された１つの文字列を用いて、前記文書の画像に対する所定の処理のための情報を設定する設定手段と、を備えることを特徴とする。
【手続補正３】
【補正対象書類名】明細書
【補正対象項目名】００２５
【補正方法】変更
【補正の内容】
【００２５】
【表１】
2019068324.tif 000001
【手続補正４】
【補正対象書類名】明細書
【補正対象項目名】００３９
【補正方法】変更
【補正の内容】
【００３９】
ステップ１００３では、タッチ操作がなされたタッチパネル上の位置座標（x,y）が取得される。続くステップ１００４では、タッチ操作された位置座標が、いずれかの文字列領域と重なるかどうかが判定される。例えば、タッチ操作された位置座標が、プレビュー領域７１０に表示された各文字列領域の内側（文字列領域の四隅を表す位置座標で特定される矩形の内側）に含まれるかどうかで判定する。タッチ操作された位置座標がいずれかの文字列領域と重なっている場合は、ステップ１００５へ進む。一方、重なっていない場合は、ステップ１００１に戻る。
【手続補正５】
【補正対象書類名】明細書
【補正対象項目名】００４８
【補正方法】変更
【補正の内容】
【００４８】
ステップ１０１２では、プレビュー表示部４２６により、分割単語リストがプレビュー画面に表示される。分割単語リストとして、例えば、文字列が複数の単語で構成される場合に複数の単語のそれぞれを表示し、複数の単語のうちの１つをユーザに識別可能な態様で表示する表を用いることが可能である。図１１は、文字列領域「見積もり番号：Ｒ−１２３４」の分割単語リストが表示された状態を示す図である。文字列領域「見積もり番号：Ｒ−１２３４」の分割単語リストとして、「Ｒ−１２３４」，「見積もり番号：Ｒ−１２３４」，「見積もり番号」の分割単語ボタン１１０１のそれぞれがユーザに識別可能な態様でプレビュー領域７１０に表示される。
【手続補正６】
【補正対象書類名】明細書
【補正対象項目名】００５０
【補正方法】変更
【補正の内容】
【００５０】
ステップ１０１５では、プレビュー表示部４２６により、タッチ操作された位置座標が、分割単語リストに表示されたいずれかの分割単語ボタン１１０１と重なるかどうかが判定される。例えば、タッチ操作された位置座標が、一つの分割単語ボタン１１０１の内側（矩形の四隅を表す位置座標で特定される矩形の内側）に含まれるかどうかで判定される。タッチ操作された位置座標が一つの分割単語ボタン１１０１と重なっている場合は、ステップ１０１６へ進む。一方、重なっていない場合は、ステップ１０１３に戻る。
【手続補正７】
【補正対象書類名】明細書
【補正対象項目名】００５１
【補正方法】変更
【補正の内容】
【００５１】
ステップ１０１６では、プレビュー表示部４２６により、タッチ操作された位置座標と重なり当該タッチ操作によって選択された一つの分割単語ボタンに表示されている単語文字列が取得される。そして、ステップ１０１７では、ファイル名入力欄７０１に現在表示中のファイル名が取得される。続くステップ１０１８では、取得したファイル名の中身が“空”であるか判定する。ここで、ファイル名が“空”とは、ファイル名入力欄７０１内に何らの文字列も表示されていない空欄状態を意味する。取得したファイル名が“空”であった場合は、ステップ１０２０に進む。一方、“空”でなかった場合は、ステップ１０１９に進む。